(57)【特許請求の範囲】
【請求項１】
頂上部を吊り穴を設けた連結具で屈折可能に連結した多数の屈折式屋根骨材の左右両端部をそれぞれ左右の回動支持装置に所定角は回動可能に設け、かつ該吊り穴を設けた連結具の吊り穴に一連のカバーシートの頂上部を係止するとともに該カバーシートの裾部を最下段の屈折式屋根骨材に係着して成る吊り穴を設けた連結具による頂上部屈折式折畳みテント。
【請求項２】
頂上部を吊り穴を設けた連結具で屈折可能に連結した多数の屈折式屋根骨材の左右両端部をそれぞれ左右の回動支持装置に所定角は回動可能に設け、かつ該吊り穴を設けた連結具の吊り穴に一連のカバーシートの頂上部を係止するとともに該カバーシートの裾部を最下段の屈折式屋根骨材に係着し、かつ該最下段の屈折式屋根骨材を屈折部の左右の所定位置で上方へ屈折可能に連結してあり、該左右屈折位置間で最下段の屈折式屋根骨材を上方に回動して出入口とする吊り穴を設けた連結具による頂上部屈折式折畳みテント。
【請求項３】
頂上部を吊り穴を設けた連結具で屈折可能に連結した多数の屈折式屋根骨材の左右両端部をそれぞれ左右の回動支持装置に所定角は回動可能に設け、かつ該吊り穴を設けた連結具の吊り穴に一連のカバーシートの頂上部を係止するとともに該カバーシートの裾部を最下段の屈折式屋根骨材に係着し、かつ該回動支持装置の支持カバーの外面部・底面部・内面部を一連となし、外面部をカバーシートの所定位置に縫い付け、該外面部分に連続する底面部及び内面部を回動支持装置の底面部より内面上部までカバーするとともに外面部に設けた支持孔と内面部に設けた支持孔とに結束具を通して屈折式の固定屋根骨材の下部を周囲から結束して成る支持カバーの取付け構造による吊り穴を設けた連結具による頂上部屈折式折畳みテント。
【請求項４】
頂上部を吊り穴を設けた連結具で屈折可能に連結した多数の屈折式屋根骨材の左右両端部をそれぞれ左右の回動支持装置に所定角は回動可能に設け、かつ該吊り穴を設けた連結具の吊り穴に一連のカバーシートの頂上部を係止すとともに該カバーシートの裾部の所定高さに縫い付たバンドに設けた下孔に、所定高さの水防立ち上がり部を設けた防水シートの水防立ち上がり部を着脱自在に係着せしめる吊り穴を設けた連結具による頂上部屈折式折畳みテント。
【請求項５】
多数の回動軸の軸心を、カバーシートを屈折式屋根骨材とともに折畳んで直立する望ましい間隔に位置せしめるとともに所定角度で展開させる位置の軸心とも一致させてある段階的回動支持装置の回動幹と固定幹に屈折式屋根骨材を固定して取り付けてある請求項１乃至４の何れかに記載の吊り穴を設けた連結具による頂上部屈折式折畳みテント。
【請求項６】
一連のカバーシートの裾部内周の所定高さに縫い付けたバンドに設けた係着具に裾部を係着し、頂上部を各連結具の吊り穴に係止して設定する請求項１乃至５の何れかに記載の吊り穴を設けた連結具による頂上部屈折式折畳みテントの内層テント。
【発明の詳細な説明】
【０００１】
【産業上の利用分野】
本発明は折畳みテントに関する。より詳細には多数の頂上部で屈折可能の屋根骨材の下端部を左右の回動支持装置に設けてシートカバーを取り付け、該屋根骨材の回動で展開折畳み自在とする吊り穴を設けた連結具による頂上部屈折式折畳みテントと温室に関する。
【０００２】
【従来の技術】
従来、折畳みテントは設営や折畳み収納時に手数がかかり、設営の風防対策には熟練度が必要であるし、出入口はジッパーで開閉するか、たれ下げたカバーをはねあげる方式であったし、シートの取付構成に関しては、シートの袋縫いの中に骨材を囲い込むとか生地に設けた多数の結束ひもを骨材に結束するとか直接生地と骨材とを細糸で絡ませて留めていた。
【０００３】
【発明が解決しようとする課題】
従来、折畳みテントではシートの天井部に結束ひもを設けることを避けるために袋縫いの中に骨材を通す構造にして好ましい外形をとれなかったり設営に手数と慣れが必要であったし、シートに結束ヒモを固着させて骨材に結束するものでは位置がずれるのを防ぐため多くの結束ひもをシートに固着させる手数が必要となって設営と収納に手間がかかる結果となっていた。更に、特許願２０００―３８１４０５では頂上の屈折部をナット・ビスのような連結具を用いたが、締め加減が難しくナットの脱落を留めるのに手数が必要であった。加えてカバーシートを屋根骨材に取り付けるのに縛るだけでは位置ずれがしたり、ヒモが弛んだりして多数の位置にヒモを取り付ける必要があり、骨材に孔を穿孔すると強度が落ちる弱点が生じた。出入口をジッパー方式にすると凍結地域では開閉が極めて困難になるし、ジッパーの破損時の問題もあった。加えてテント内で濡れた下着などを干すために吊す仕掛けもなかった。凍結地では一重のテントでは凍り付き、二層のカバーシートで断熱空気層を設けないと寒くて安眠できない等の問題が生ずる。更に、透明のカバーシートにより簡単に設営と折畳みできる温室を提供するのも目的である。
そして、コンパクトに畳むために回動支持装置を小さくすると、片側の最下段の屋根骨材を出入りのために持ち上げると開口が広すぎるし、テントの固定が半分となり安定を損なう等の問題があり、広すぎない出入口とテントを安定させる構造の提供が必要であった。
【０００４】
【課題を解決するための手段】
本発明は請求項１においては、頂上部を吊り穴を設けた連結具で屈折可能に連結した多数の屈折式屋根骨材の左右両端部をそれぞれ左右の回動支持装置に所定角は回動可能に設け、かつ該吊り穴を設けた連結具の吊り穴に一連のカバーシートの頂上部を係止するとともに該カバーシートの裾部を最下段の屈折式屋根骨材に係着して成る吊り穴を設けた連結具による頂上部屈折式折畳みテントである。
請求項２においては、頂上部屈折式折畳みテントに最下段の屈折式屋根骨材を屈折部の左右の所定位置で上方へ屈折可能に連結してあり、該左右屈折位置間で最下段の屈折式屋根骨材を上方に回動して出入口とする吊り穴を設けた連結具による頂上部屈折式折畳みテントである。
請求項３においては、請求項１の頂上部屈折式折畳みテントにおいて、その回動支持装置の支持カバーの外面部・底面部・内面部を一連となし、外面部をカバーシートの所定位置に縫い付け、該外面部分に連続する底面部及び内面部を回動支持装置の底面部より内面上部までカバーするとともに外面部に設けた支持穴と内面部に設けた支持穴とに結束具を通して屈折式の屋根骨材の下部を周囲から結束して成る支持カバーの取付け構造による吊り穴を設けた連結具による頂上部屈折式折畳みテントである。
請求項４は頂上部を吊り穴を設けた連結具で屈折可能に連結した多数の屈折式屋根骨材の左右両端部をそれぞれ左右の回動支持装置に所定角は回動可能に設け、かつ該吊り穴を設けた連結具の吊り穴に一連のカバーシートの頂上部を係止するとともに該カバーシートの裾部の所定高さに縫い付けたハンドに設けた下穴に、所定高さの水防立ち上がり部を設けた防水シートの水防立上がり部を着脱自在に係着せしめる吊り穴を設けた連結具による頂上部屈折式折畳みテントである。
請求項５は多数の回動軸の軸心を、カバーシートを屈折式屋根骨材とともに折り畳んで直立する望ましい位置の軸心とも一致させてある段階的回動支持装置の回動幹と固定幹に屈折式屋根骨材を固定して取付けてある請求項１乃至４に記載の吊り穴を設けた連結具による頂上部屈折式折畳みテントである。
請求項６は一連のカバーシートの裾部内周の所定高さに縫い付けたバンドに設けた係着具に裾部を係着し、頂上部を各連結具の吊り穴を設けた連結具による頂上部屈折式折畳みテントの内層テントである。
本発明では多数の屈折式屋根骨材を両下端部を回動可能に所定間隔で回動支持装置に支持孔で設ける。該屋根骨材の１本を直立固定すると扱い易くなり一層好ましい。さらに段階的回動支持装置に該屋根骨材設ければ（後述）一層好ましい。頂上部を屈折可能に連結した該屋根骨材の頂上部の所定位置にシートを保持させ、組み立てと折畳み時にも位置ずれを解消して展開設営時にカバーと骨材のずれの補正を不要にするために屋根骨材を回動屈折せしめる連結に中空孔を具える連結具例えばパイプの両端部を加締めて膨大させるとか中空のネジ、ボルトの類を用いて連結するとともに該孔にカバーシートに設けた結束具たとえば針金、ひも、結束金具等の何れかで結合して位置ずれを防ぐとともに、屋根骨材への結束箇所を少なくしフックを設けて衣類の干し場を提供する。
そして展開、折畳みに結束作業を省略できる頂上部の屈折式構造を提供し、即時簡単に設営可能にする。出入口のジッパー（ファッスナー）を不要にするため開口せしめる最下段の屈折式屋根骨材に開口屈折部を設ける。該開口屈折部の連結軸を軸にして上下に回動可能とし、つまり、最下段の出入口屋根骨材はその左右両下端と形成する面に平行に屈折自在であり、出入口屈折部の屈折面とは直交する回動面を成すもので、広すぎない出入口に狭めて簡単に開閉せしめるとともに、該屈折部より回動支持装置間の骨材部分をペッグとも称される打ち込みステッキで地面に固定してテントを安定させる。
該シートの下方内周縁には係着具取付用のバンドを設けて防水シートの上部或いは防虫シート・内層シートの裾部を「ヒネリ」「ジッパー」等で係止する構成にする。更に、回動支持装置の板体の露出をカバーするために支持カバーをカバーシートとともに屈折式固定屋根骨材に着脱自在に取り付ける構成を提供することである。
【０００５】
【実施例１】
図１より図１０は屈折式折畳みテント１の１実施例で、アルミ合金製の丸パイプを湾曲せしめた屈折式屋根骨材３、５、６等の頂上の屈折連結部は押圧して平板に変形させて連結用の穴を穿孔し、金属製の丸パイプによる連結具１６の両端部を加締めて両端の外周を膨らませて両側の屋根骨材３を回動可能に（図７）連結してある。
これら屈折式の屋根骨材の中心で直立する屈折式の固定屋根骨材３はその両下端部が回動支持装置の板体の間で設けられるが、薄肉で弾力的な歪みが可能で、多数の屈折式回動屋根骨材５はその両下端部が回動支持装置の該板体の間で回動可能に支持軸９で支持されている。これら屈折式屋根骨材の頂上部の吊り穴を設けた連結具１６の吊り穴１８には一連のカバーシート１３を補強帯２０に設けた結束具１９を介して取り付け（図５，６，７）、最下段の屈折式回動屋根骨材はカバーシートの袋縫いの中に通してある。該結束具１９は針金とかヒモの類等で代替して結んでもよい。上記吊り穴１８にフック７を引っ掛けて（図８）衣類を吊して乾かせるし、内層テント２７にフックを取り付けておいて、内層テントを該吊り穴に掛け吊すことも可能である（後述）。
かかる構成により展開時には図１から図４に示すようにドーム状になり、すべての屋根骨材を固定屋根骨材５を中心に束ねて連結部で内側に屈折し、左右の回動支持装置を突き合わすと図９、図１０に示すようにカバーシートと絡ませつつ瞬間的に折畳むことができる。
回動支持装置の板体が弾力的に歪める厚さであるので、左右の回動支持装置の間隔を若干広げると頂上部が少し下方に下がるが幅が広くなり、長さが縮む。この逆にもなるので、設営時に望ましい高さをある程度の範囲で選択できる利点もある。
【０００６】
【実施例２】
図１１より図１５は実施例２の開口連結部を設けた吊り穴を設けた連結具による頂上部屈折式折畳みテント１の１実施例で頂上部は前例と同じ屈折式で、正面側の最下段の回動屋根骨材を加工して開口連結部８を左右に設けてその間の骨材を開口屋根骨材６としてあり（図１１、１２、１３）、実施例１と同様に一連のカバーシートが取り付けてある。該テントの開口吊りゴム１０の下端の開口掛け具１２により該開口屋根骨材を上方に吊り開口状態を保つ。該開口連結部と支持カバー間の骨材の地面との固定にペッグ孔１７を通してぺッグ１５を打ち込み（図１１）、その他要所にペッグ孔を設けてペッグを打ち込み最下段の屋根骨材を地面に固定して風に対してテントを支えることが望ましい。支持カバー１４は外部に半分弱が露出して回動支持装置の外面をカバーし、下方で連続する残りの半分（図１１中の一点破線の円弧）は内側に折り曲げて該装置内面をカバーせしめて、内外の前後の支持孔２５を通した支持ひも２６で固定屋根骨材３の下部とを結束してある。
該テントの地面より若干上方の内周にはバンド２３の上縁が一連のカバーシートと一体に縫製してあり、そのミシン目の下方の所定位置で下孔２４が設けてある。該孔には水防用の敷物を吊ることができるし、吊り穴１８に内層テント２７のフック１１を引っ掛けてその裾と該下孔２５とを係止すれば、内層テント２７を内部に設定して、内層テントと該折畳みテントとの間に断熱効果のある空気層を設けられるので寒冷地での防寒仕様にできる（図１４、１５）。更に、該バンドには「ヒネリ」「ジッパー・ファスナー」等を設けて下孔と同様の効果をえられる。
本例も図９、図１０のように実施例１と同じスタイルで折畳むことができる。更に、図１６に図示するが、回動支持装置の板体に回動可能の直付けでなくても屈折式屋根骨材を段階的回動支持装置３３の回動幹３４と固定幹３５に加締めたり、又はビス留め等で取り付けて頂上部屈折式折畳みテントを製作できる。更に、各屋根骨材の直立時の間隔を等しく設けて、一定の角度で展開させると、Ｐ１Ｐ２Ｐ３を中心に回動する１０、ｍ０、ｎ０の各展開角度間は同一になるから、同一大の頂上部屈折式屋根骨材１０、ｍ０、ｎ０をＯを中心とする円弧の先の回動幹３４と固定幹３５に取り付けて、展開時の各屋根骨材間の面積を同一の広さと形に形成して、各区分のカバーシートの形を同一に裁断可能として量産性を向上できる。そして、各幹に取り付ける際はビス止め、又は加締め何れかを選択して固定できる。図１７は吊り穴を設けた連結具の代用製品である。
【０００７】
【実施例３】
図１７乃至図２０は屈折式折畳みテント型温室２の１実施例で、各回動屋根骨材はＨ型部材２８と押さえ部材２９とから成り、Ｈ型部材の連結部の仕切壁部を切り欠き３２、左右の部材を食い違わせて合わせ連結具１６で頂上部を屈折可能に連結して成り、上部が湾曲していて所定の高さで垂直に下がり、下方の回動装置に設けてある。
押さえ部材２９はＨ型部材２８の外周の溝の前後にカバーシート１３を押さえてビス３１でＨ型部材２８の溝底の仕切壁３３に固定してある。かかる構成であるから各回動屋根間のカバーシートは別々に押さえ部材でＨ型部材に取り付け可能でカバーシート全体を一連に接合する作業を省略できる。
頂上の連結具１６の吊り穴には散水栓とか吊り鉢、灯火等をを簡単に係止できる。不要になれば、簡単に折畳んで収納し、繰り返して使用できるので、環境負荷を軽くし、経費の節減にも役立つ。
尚、実施例１または２の一連のカバーシートを透明とすれば同じく吊り穴を設けた連結具による頂上部屈折式折畳みテント温室を構成できる。
【０００８】
【効果】
本発明では頂上部を屈折可能に連結した頂上部屈折式屋根骨材の多数の両端部を左右の回動連結装置に支持せしめてあるので、該左右の回動連結装置の位置を固定すれば頂上部は左右方向には揺れずに安定する。該多数の屋根骨材をヒモのような結束具によりカバーシートを取り付ければ前後方向の位置の揺れも解消できるから、展開時のテントの形態が屋根骨材が頂上部屈折式でも安定する。又、中央の１本を固定すれば設営時や折畳み操作が楽になるが、回動可能であっても本願の効果は得られる。段階的回動支持装置によれば、ビスの使用によりテントの解体や袋縫いのカバーシートの着脱が容易になる。
従来、屋根骨材とカバーテントとは多数の部位での結束が必要であつたが、吊り孔を設けた連結具による連結では金属・ひも等の係止具の固定が簡単であり、位置ずれがないので他の位置での係止を省略して少ない部位に減らしても使用上問題が生じないし、従来の袋縫いの折畳みテントでは骨材を利用する機能の付加ができなかったが、本発明では折畳みテントであるのにカバーシートの交換が容易であるし、吊り穴に取り付けたフックで安定的に衣類を吊せるし、保温効果のための内層のシートの天井部を吊すのにも利用できる。該内層シートは天井部を前記吊り孔に係着させ、裾部は下帯の下穴に係着できるから、簡単に内外の二層テントを設営できる。
屈折出入口構造では、高い山の登山での凍結時に手指の凍傷により開閉が困難となるジッパーといわれるファスナーを省略可能とし、ジッパー破損の場合の深刻な問題が解消できる。カバーシートを透明のものにすれば温室に、不透水性のものにすれば野外のテント或いは簡易物置として、不透明の遮音性のものにすれば、災害時に避難する公共施設の屋内で家族単位のプライバシーを保つ隔離安眠室として即座に女性一人でも展開設営して利用できるので極めて便利である。部分的に透明にし、該透明シート内面に不透明シートを着脱自在に構成して、選んだ場所で仮眠しながら夜空を観察したり、農場の見張り小屋や重要施設の臨時警備所として簡単に設営できる。
開口屈折部は出入口の開放を簡単にし、かつ閉塞を瞬時に可能にするので、居住性を大きく改善する。フック、開口吊りゴム、開口掛金具等の開口具は内部での操作が簡単であり、開放の維持や閉塞作業が降雨、凍結等の気象条件に左右されずに瞬時に行なえる。該出入口側の屈折式屋根骨材の支持骨材部分の所定位置と出入口とは反対側の最下段の屋根骨材をペッグとも云われる打ち込みステツキで所定の位置で地面に固定すれば、寒冷地用のカバーシートの取り付けにより強風でも、風防スタイルでかつ頑丈な骨組みであるから、安心して仮泊できる。
加えて、横幅を圧縮して設営すれば、天井を高くして内部での作業性を良くできるし、横幅を広げて設営すれば天井を低く横幅と面積を大にしてゆったりの睡眠スペースを確保し、風に強い風防スタイルにもできる。
折畳み収納の場合は、ワン・ツー・スリー３段階の全体的屈折で畳めるし、コンパクトに折畳めてアルミ骨組みであれば軽量であるから、車載は容易で縦横２メートル以内の広さのテントなら、全屋根骨材の頂上部の屈折により最大横幅約６００ミリに納まるので、一人で携帯してバス・電車等の旅行もできる。
尚、最下段の屋根骨材を回動支持装置からの着脱でカバーシートを交換可能なので用途により、例えば凍結地域では厚手の生地による気密性の高い構成のカバーシートを取り付け、多雨地域では接地部分より浸水防壁を高く周囲に回したバンドへ厚底の下敷きを着装する等、用途に対する適応性が高度である。
透明の樹脂シートは骨材間毎に外部からの押さえ部材により取り付け可能で、異型屋根骨材による、例えばＨ型材又は溝型材では、押さえ部材で透明の樹脂シートの固定が骨材の間でより容易になる。
【０００７】
【図面の簡単な説明】
各図は言及のない限り縮小概略図で、
【図１】実施例１の屈折式折畳みテントの一例の正面図、
【図２】図１の側面図、
【図３】図１の平面図、
【図４】図１の底面図、
【図５】図４中のＡ−Ａ’、Ｂ−Ｂ’の拡大図、
【図６】図５中のＣ−Ｃ’の断面図、
【図７】図５の側面図、
【図８】図７の連結具にフックを取り付けた状態、
【図９】図１の屈折式折畳みテントを屈折して折畳んだ正面図、
【図１０】図９の側面図、
【図１１】実施例２の開口連結部を設けた屈折式折畳みテントの開口側面図、
【図１２】図１１の開口正面図、
【図１３】図１１の開口平面図、
【図１４】閉塞時の内層テント位置を示す正面図、
【図１５】内層テントの天井部と裾部の取り付け位置を示す平面図、
【図１６】段階的回動装置の側面図
【図１７】中空孔に代わる吊り孔を設けた連結具の斜視図、
【図１８】実施例３の屈折式折畳みテント型温室の側面図、
【図１９】図１８の正面図、
【図２０】図１９の破断部拡大平面図、
【図２１】図２０中の断面ＤーＤ’である。
【図２２】実施例４の延長屈折式屋根骨材の一例の延長時の正面図、
【図２３】図２２の縮小屈折時の正面図である。
符号の説明
１  吊り穴を設けた連結具による頂上部屈折式折畳みテント、
２  吊り穴を設けた連結具による頂上部屈折式折畳みテント型温室、
３  中央屋根骨材、４  回動支持装置、５  回動屋根骨材、
６  開口部屋根骨材、７  フック、８  開口連結部、９  支持軸、
１０  開口吊りゴム、１１  頂上連結部、１２  開口掛け金具、
１３  カバーシート、１４  支持カバー、１５  ペッグ、１６  連結具、
１７  ペッグ孔、１８  吊り穴、１９  結束具、２０  補強帯、
２１  閉塞線、２２  骨材カバー、２３  バンド、２４  下穴、
２５  支持穴、２６  支持ひも、２７  内層テント、２８  Ｈ型部材、
２９  押さえ部材、３０  透明シート、３１  ビス、３２  切り欠き、
３３  段階的回動装置、３４  回動幹、３５  固定幹、
３６  延長屈折式屋根骨材、３７係止具。
【図１】
0003579717.tif 000002
【図２】
0003579717.tif 000003
【図３】
0003579717.tif 000004
【図４】
0003579717.tif 000005
【図５】
0003579717.tif 000006
【図６】
0003579717.tif 000007
【図７】
0003579717.tif 000008
【図８】
0003579717.tif 000009
【図９】
0003579717.tif 000010
【図１０】
0003579717.tif 000011
【図１１】
0003579717.tif 000012
【図１２】
0003579717.tif 000013
【図１３】
0003579717.tif 000014
【図１４】
0003579717.tif 000015
【図１５】
0003579717.tif 000016
【図１６】
0003579717.tif 000017
【図１７】
0003579717.tif 000018
【図１８】
0003579717.tif 000019
【図１９】
0003579717.tif 000020
【図２０】
0003579717.tif 000021
【図２１】
0003579717.tif 000022
【図２２】
0003579717.tif 000023
【図２３】
0003579717.tif 000024